(57)【特許請求の範囲】
【請求項１】
所要長方形に裁断された一方側用布と、同じく、その一方側用布と同形の所要長に裁断された他方側用布を対接し、夫々の外縁を縫着し、その縫着部を内部に折り返して配する袋体に設けると共に、その一方側用布および他方側用布の長手方向を中央部分で横断する縫着線を設け、その縫着線により一方面と他方面に分割し、その一方面の中央部分に所要径の大径囲ぎょう縫着線を、その他方面の中央部分に、前記一方面の大径囲ぎょう縫着線より小さい所要径の小径囲ぎょう縫着線を夫々設け、その大径囲ぎょう縫着線および小径囲ぎょう縫着線を除く内部にパンヤ、わた、ビーズ等の適宜の充填物を収容して一方面の部分の大径囲ぎょう縫着線を内底面とする大径凹陥部を具える一方面枕本体と、他方面の部分の小径囲ぎょう縫着線を内底面とする小径凹陥部を具える他方面枕本体に構成し、他方面枕本体を一方面枕本体に、他方側用布を内側または外側として二つ折り重合・使用を可能にしてなる枕。
【請求項２】
所要長方形に裁断された一方側用布と、同じく、その一方側用布と同形の所要長に裁断された他方側用布を対接し、夫々の外縁を縫着し、その縫着部を内部に折り返して配する袋体に設けると共に、その一方側用布および他方側用布の長手方向の中央部分を横断すると共に、中心部分を開口のため分断する一方側中心部分断縫着線と、他方側中心部分断縫着線およびそれら一方側中心部分断縫着線と他方側中心部分断縫着線の中心側分断端にそれぞれ接続する一方通路縫着線と他方通路縫着線により一方面と他方面に分割し、その一方面の中央部分に所要径の大径囲ぎょう縫着線を、その他方面の中央部分に、前記一方面の大径囲ぎょう縫着線より小さい所要径の小径囲ぎょう縫着線を夫々設け、その大径囲ぎょう縫着線および小径囲ぎょう縫着線を除く内部にビーズ等の移動自在の充填物を所要量収容し、そのビーズ等の移動自在の充填物により一方面の部分の大径囲ぎょう縫着線を内底面とする大径凹陥部を具える一方面枕本体と、他方面の部分の小径囲ぎょう縫着線を内底面とする小径凹陥部を具える他方面枕本体に構成し、前記他方面枕本体を一方面枕本体に、他方側用布を内側または外側として二つ折り重合・使用を可能にしてなる枕。
【請求項３】
所要長方形に裁断された一方側用布と、同じく、その一方側用布と同形の所要長に裁断された他方側用布を対接し、夫々の外縁を縫着し、その縫着部を内部に折り返して配する袋体に設け、その四隅を所要幅横断する隅切り縫着線を設けて区画すると共に、その一方側用布および他方側用布の長手方向の央部分を横断すると共に、両側縁寄りの二箇所で開口のため分断する一方側両側部分断縫着線と、他方側両側部分断縫着線と、それらの両側部内外の分断端に互いに対応して接続する一側部内側通路縫着線と一側部外側通路縫着線と、他側部内側通路縫着線と他側部外側通路縫着線とにより一方面と他方面に分割すると共に内部を連通し、その一方面の中央部分に所要径の大径囲ぎょう縫着線を、その他方面の中央部分に、前記一方面の大径囲ぎょう縫着線より小さい所要径の小径囲ぎょう縫着線を夫々設け、その隅切り縫着線により区画された部分、大径囲ぎょう縫着線および小径囲ぎょう縫着線を除く内部にビーズ等の移動自在の充填物を所要量収容し、そのビーズ等の移動自在の充填物により一方面の部分の大径囲ぎょう縫着線を内底面とする大径凹陥部を具える一方面枕本体と、他方面の部分の小径囲ぎょう縫着線を内底面とする小径凹陥部を具える他方面枕本体に構成し、前記他方面枕本体を一方面枕本体に、他方側用布を内側または外側として二つ折り重合・使用を可能にしてなる枕。
【発明の詳細な説明】
【０００１】
【発明が属する技術分野】
この発明は、枕に関する。
【０００２】
【従来の技術】
従来、種々の枕が提案されているが、活性炭袋を枕に内蔵し、湿気、悪臭などを吸着するものが、特開平７−２７５０９９号公報に開示されている。また、方形の枕の上面の領域を、方形の枕の上面において、中央部を最も低く、各周辺領域を順次高く形成し、枕の基本形を保持したままで頭を乗せる高さを簡単に変えることができるものが、特開平９−２８５３４号公報に開示されている。さらに、枕の上面の中央部を適度に凹陥させるため、枕を構成する上布と下布の中心部に、複数のマチ布を、夫々の上下端を上布と下布に縫着し、それらの隣接するマチ布との間に開口部を形成し、立体の区画を形成を形成し、上布と下布の縫合縁の一部に縫合した充填口を設け、充填物の量を加減できるものが、第３０３９０４２号の実用新案登録公報に掲載されている。
【０００３】
【発明が解決しようとする課題】
前述のように、特開平７−２７５０９９号公報では、活性炭を枕に内臓させるために交換をすることができない。また、使用の都度出し入れの必要な冷却材を用いることができない。次に、特開平９−２８５３４号公報では、吸湿材、冷却材を全く考慮しない構造である。さらに第３０３９０４２号の実用新案登録公報では、充填物の量を加減するため、取出した充填物と補充する充填物を保管しなければならず、管理が面倒である欠点がある。
【０００４】
この発明は、かかる点を改善し、第１に、吸湿材もしくは冷却材を簡易に配備が可能であることを目的になされたものである。第２に、枕の上面に構成される凹陥湾曲支承面の形状および高さを簡易に変えることができることを目的になされたものである。第３に、枕の上面に構成される凹陥湾曲支承面の形状および高さを微妙に調整可能に構成することを目的になされたものである。第４に、枕の内部に充填する充填物の収納量を節減する目的でなされたものである。
【０００５】
【課題を解決するための手段】
所要長方形に裁断された一方側用布と、同じく、その一方側用布と同形の所要長に裁断された他方側用布を対接し、夫々の外縁を縫着し、その縫着部を内部に折り返して配する袋体に設けると共に、その一方側用布および他方側用布の長手方向を中央部分で横断する縫着線を設け、その縫着線により一方面と他方面に分割し、その一方面の中央部分に所要径の大径囲ぎょう縫着線を、その他方面の中央部分に、前記一方面の大径囲ぎょう縫着線より小さい所要径の小径囲ぎょう縫着線を夫々設け、その大径囲ぎょう縫着線および小径囲ぎょう縫着線を除く内部にパンヤ、わた、ビーズ等の適宜の充填物を収容して一方面の部分の大径囲ぎょう縫着線を内底面とする大径凹陥部を具える一方面枕本体と、他方面の部分の小径囲ぎょう縫着線を内底面とする小径凹陥部を具える他方面枕本体に構成し、他方面枕本体を一方面枕本体に、他方側用布を内側または外側として二つ折り重合・使用を可能にしてなる枕にある。
【０００６】
所要長方形に裁断された一方側用布と、同じく、その一方側用布と同形の所要
長に裁断された他方側用布を対接し、夫々の外縁を縫着し、その縫着部を内部に折り返して配する袋体に設けると共に、その一方側用布および他方側用布の長手方向の中央部分を横断すると共に、中心部分を開口のため分断する一方側中心部分断縫着線と、他方側中心部分断縫着線およびそれら一方側中心部分断縫着線と他方側中心部分断縫着線の中心側分断端にそれぞれ接続する一方通路縫着線と他方通路縫着線により一方面と他方面に分割し、その一方面の中央部分に所要径の大径囲ぎょう縫着線を、その他方面の中央部分に、前記一方面の大径囲ぎょう縫着線より小さい所要径の小径囲ぎょう縫着線を夫々設け、その大径囲ぎょう縫着線および小径囲ぎょう縫着線を除く内部にビーズ等の移動自在の充填物を所要量収容し、そのビーズ等の移動自在の充填物により一方面の部分の大径囲ぎょう縫着線を内底面とする大径凹陥部を具える一方面枕本体と、他方面の部分の小径囲ぎょう縫着線を内底面とする小径凹陥部を具える他方面枕本体に構成し、前記他方面枕本体を一方面枕本体に、他方側用布を内側または外側として二つ折り重合・使用を可能にしてなる枕としてもよいものである。
【０００７】
所要長方形に裁断された一方側用布と、同じく、その一方側用布と同形の所要長に裁断された他方側用布を対接し、夫々の外縁を縫着し、その縫着部を内部に折り返して配する袋体に設け、その四隅を所要幅横断する隅切り縫着線を設けて区画すると共に、その一方側用布および他方側用布の長手方向の央部分を横断すると共に、両側縁寄りの二箇所で開口のため分断する一方側両側部分断縫着線と、他方側両側部分断縫着線と、それらの両側部内外の分断端に互いに対応して接続する一側部内側通路縫着線と一側部外側通路縫着線と、他側部内側通路縫着線と他側部外側通路縫着線とにより一方面と他方面に分割すると共に内部を連通し、その一方面の中央部分に所要径の大径囲ぎょう縫着線を、その他方面の中央部分に、前記一方面の大径囲ぎょう縫着線より小さい所要径の小径囲ぎょう縫着線を夫々設け、その隅切り縫着線により区画された部分、大径囲ぎょう縫着線および小径囲ぎょう縫着線を除く内部にビーズ等の移動自在の充填物を所要量収容し、そのビーズ等の移動自在の充填物により一方面の部分の大径囲ぎょう縫着線を内底面とする大径凹陥部を具える一方面枕本体と、他方面の部分の小径囲ぎょう縫着線を内底面とする小径凹陥部を具える他方面枕本体に構成し、前記他方面枕本体を一方面枕本体に、他方側用布を内側または外側として二つ折り重合・使用を可能にしてなる枕としてもよいものである。
【０００８】
【発明の実施の形態】
所要長方形に裁断された一方側用布と、同じく、その一方側用布と同形の所要長に裁断された他方側用布を対接し、夫々の外縁を縫着し、その縫着部を内部に折り返して配する袋体に設け、その四隅を所要幅横断する隅切り縫着線を設けて区画すると共に、その一方側用布および他方側用布の長手方向の央部分を横断すると共に、両側縁寄りの二箇所で開口のため分断する一方側両側部分断縫着線と、他方側両側部分断縫着線と、それらの両側部内外の分断端に互いに対応して接続する一側部内側通路縫着線と一側部外側通路縫着線と、他側部内側通路縫着線と他側部外側通路縫着線とにより一方面と他方面に分割すると共に内部を連通し、その一方面の中央部分に所要径の大径囲ぎょう縫着線を、その他方面の中央部分に、前記一方面の大径囲ぎょう縫着線より小さい所要径の小径囲ぎょう縫着線を夫々設け、その隅切り縫着線により区画された部分、大径囲ぎょう縫着線および小径囲ぎょう縫着線を除く内部にビーズ等の移動自在の充填物を所要量収容し、そのビーズ等の移動自在の充填物により一方面の部分の大径囲ぎょう縫着線を内底面とする大径凹陥部を具える一方面枕本体と、他方面の部分の小径囲ぎょう縫着線を内底面とする小径凹陥部を具える他方面枕本体に構成し、一方側用布または他方側用布の四隅表面に、互いに連結するベルベットファスナーを縫着し、前記他方面枕本体を一方面枕本体に、他方側用布を内側または外側として二つ折り重合・使用を可能にしてなる枕。
【０００９】
【実施例】
以下、この発明の枕を図面に示す実施例にしたがって説明すると、図１〜図４は、第１実施例であって、この第１実施例枕１５は、所要長方形に裁断された一方側用布１６と、同じく、その一方側用布１６と同形の所要長に裁断された他方側用布１７を対接し、図２に示すように、夫々の外縁を縫着し、その縫着部１５ａを内部に折り返して配する袋体１５ｂに設けると共に、その一方側用布１６および他方側用布１７の長手方向を中央部分で横断する所要間隔の平行線にしたがって一方側縫着線１８ａと他方側縫着線１８ｂを二条設け、その二条の一方側縫着線１８ａと他方側縫着線１８ｂにより一方面１９ａと他方面１９ｂに分割し、その一方面１９ａの中央部分に所要径の大径囲ぎょう縫着線２０を、その他方面１９ｂの中央部分に、前記一方面１９ａの大径囲ぎょう縫着線２０より小さい所要径の小径囲ぎょう縫着線２１を夫々設け、その大径囲ぎょう縫着線２０および小径囲ぎょう縫着線２１を除く内部にパンヤ、わた、ビーズ等の適宜の充填物２２および充填物２３を収容して一方面１９ａの部分の大径囲ぎょう縫着線２０を内底面２４ａとする大径凹陥部２４を具える一方面枕本体２５と、他方面１９ｂの部分の小径囲ぎょう縫着線２１を内底面２６ａとする小径凹陥部２６を具える他方面枕本体２７に構成し、例えば、他方側用布１７の四隅表面に、互いに連結するベルベットファスナー２８ａ、２８ｂを縫着し、前記他方面枕本体２７を一方面枕本体２５に、他方側用布１７を内側または外側として二つ折り重合・使用を可能にしてなるものである。
【００１０】
前記この発明の第１実施例枕１５の一方面枕本体２５と他方面枕本体２７とでは、一方面枕本体２５は充填物２２をビーズ、他方面枕本体２７は充填物２３をパンヤというように、変えてもよいものである。またその量についても一方面枕本体２５は多く、他方面枕本体２７は少なくというように、変えてもよいものである。
【００１１】
そしてこの第１実施例枕１５は、二つ折りした間に冷却材、吸湿材を入れて使用ができる。また大径凹陥部２４と小径凹陥部２６というように、一方面枕本体２５と他方面枕本体２７では、大きさが相違するので、二つ折りして上面側を変えることにより頭が支えられる凹部の大きさを簡易に変えることができる。また前述のように、一方面枕本体２５と他方面枕本体２７で内部に充填される充填物の材質を変えることができ、頭と接する面を変えて着頭感または最適な保冷性、保温性、通気性を選択することができる。
【００１２】
図５および図６は、この発明の枕の第２実施例であって、この第２実施例枕３０は、第１実施例と同様に、所要長方形に裁断された一方側用布３１と、同じく、その一方側用布３１と同形の所要長に裁断された他方側用布３２を対接し、図示しないが第１実施例と同様に、夫々の外縁を縫着し、その縫着部を内部に折り返して配する袋体に設けると共に、その一方側用布３１および他方側用布３２の長手方向の中央部分を所要間隔の平行線にしたがって横断すると共に、中心部分を開口のため分断する一方側中心部分断縫着線３３ａと、他方側中心部分断縫着線３３ｂおよび一方側中心部分断縫着線３３ａと、他方側中心部分断縫着線３３ｂの中心側分断端にそれぞれ接続する一方通路縫着線３４ａと他方通路縫着線３４ｂにより一方面３５ａと他方面３５ｂに分割し、その一方面３５ａの中央部分に所要径の大径囲ぎょう縫着線３６を、その他方面３５ｂの中央部分に、前記一方面３５ａの大径囲ぎょう縫着線３６より小さい所要径の小径囲ぎょう縫着線３７を夫々設け、その大径囲ぎょう縫着線３６および小径囲ぎょう縫着線３７を除く内部にビーズ等の移動自在の充填物３８を所要量収容し、そのビーズ等の移動自在の充填物３８により一方面３５ａの部分の大径囲ぎょう縫着線３６を内底面３９ａとする大径凹陥部３９を具える一方面枕本体４０と、他方面３５ｂの部分の小径囲ぎょう縫着線３７を内底面４１ａとする小径凹陥部４１を具える他方面枕本体４２に構成し、他方側用布３２の四隅表面に、互いに連結するベルベットファスナー４３ａ、４３ｂを縫着し、前記他方面枕本体４２を一方面枕本体４０に、他方側用布３２を内側または外側として二つ折り重合・使用を可能にしてなるものである。
【００１３】
前記この発明の第２実施例枕３０の一方面枕本体４０と、他方面枕本体４２とが連通し、その展開時には内部の充填物３８が移動自在であると共に、一方面枕本体４０に構成される大径囲ぎょう縫着線３６と、他方面枕本体４２に構成される小径囲ぎょう縫着線３７の大きさが大小に異なるから、夫々に構成される大径凹陥部３９と小径凹陥部４１に大小ができ、そして夫々に移動する充填物の量によって大径凹陥部３９および小径凹陥部４１の大きさと深さを調整することができ、使用者の頭に最適なものにすることができる。
【００１４】
図７および図８は、この発明の枕の第３実施例であって、この第３実施例枕４４は、第１実施例と同様に、所要長方形に裁断された一方側用布４５と、同じく、その一方側用布４５と同形の所要長に裁断された他方側用布４６を対接し、図示しないが第１実施例と同様に、夫々の外縁を縫着し、その縫着部を内部に折り返して配する袋体に設け、その四隅を所要幅横断する隅切り縫着線４７ａ、４７ｂ、４７ｃおよび４７ｄを設けて区画すると共に、その一方側用布４５および他方側用布４６の長手方向の中央部分を所要間隔の平行線にしたがって横断すると共に、両側縁寄りの二箇所で開口のため分断する一方側両側部分断縫着線４８ａと、他方側両側部分断縫着線４８ｂと、それらの両側部内外の分断端に互いに対応して図示の如く接続する一側部内側通路縫着線４９ａと一側部外側通路縫着線４９ｂと、他側部内側通路縫着線５０ａと他側部外側通路縫着線５０ｂとにより一方面５１ａと他方面５１ｂに分割すると共に内部を連通し、その一方面５１ａの中央部分に所要径の大径囲ぎょう縫着線５２を、その他方面５１ｂの中央部分に、前記一方面５１ａの大径囲ぎょう縫着線５２より小さい所要径の小径囲ぎょう縫着線５３を夫々設け、その隅切り縫着線４７ａ、４７ｂ、４７ｃおよび４７ｄにより区画された部分、大径囲ぎょう縫着線５２および小径囲ぎょう縫着線５３を除く内部にビーズ等の移動自在の充填物５４を所要量収容し、そのビーズ等の移動自在の充填物５４により一方面５１ａの部分の大径囲ぎょう縫着線５２を内底面５５ａとする大径凹陥部５５を具える一方面枕本体５６と、他方面５１ｂの部分の小径囲ぎょう縫着線５３を内底面５７ａとする小径凹陥部５７を具える他方面枕本体５８に構成し、他方側用布４６の四隅表面に、互いに連結するベルベットファスナー５９ａ、５９ｂを縫着し、前記他方面枕本体５８を一方面枕本体５６に、他方側用布４６を内側または外側として二つ折り重合・使用を可能にしてなるものである。
【００１５】
前記この発明の第３実施例枕４４は、前述のように、一方面枕本体５６と他方面枕本体５８が両縁よりを連通しているので、全体を二つ折りしたときに、その連通部分にビーズ等の充填物５４が存在するので高くなり、両側の高い枕を提供できる。また四隅の隅切りにより隅部にビーズ等の充填物５４がいかないので、ビーズ等の充填物５４の節約をはかることができる。
【００１６】
前記この発明の第１実施例枕１５の一方面１９ａと他方面１９ｂを区画する一方側縫着線１８ａと他方側縫着線１８ｂを同じく、二条に設けているが、それらは一条のものでもよいものである。また、第２実施例枕３０の一方面３５ａと他方面３５ｂを、二条の一方側中心部分断縫着線３３ａと、他方側中心部分断縫着線３３ｂおよびそれらの中心部分断端に接続する一方通路縫着線３４ａと他方通路縫着線３４ｂによりに分割しているが、一方側中心部分断縫着線３３ａと、他方側中心部分断縫着線３３ｂを一条に構成することもでき、この一条の一方側中心部分断縫着線３３ａと、他方側中心部分断縫着線３３ｂでは、夫々の中心部分断端に接続する二条の一方通路縫着線３４ａと他方通路縫着線３４ｂを必要としないものである。また、第３実施例枕４４において、一方側用布４５および他方側用布４６の長手方向の中央部分を所要間隔の平行線にしたがって横断すると共に、両側縁寄りの二箇所で開口のため分断する一方側両側部分断縫着線４８ａと、他方側両側部分断縫着線４８ｂと、それらの両側部内外の分断端に互いに対応して図示の如く接続する一側部内側通路縫着線４９ａと一側部外側通路縫着線４９ｂと、他側部内側通路縫着線５０ａと他側部外側通路縫着線５０ｂとにより一方面５１ａと他方面５１ｂに分割しているが、一方側両側部分断縫着線４８ａと、他方側両側部分断縫着線４８ｂとは、これを一条とすることができ、この一条に構成したときには、一側部内側通路縫着線４９ａと一側部外側通路縫着線４９ｂと、他側部内側通路縫着線５０ａと他側部外側通路縫着線５０ｂを省略できるものである。
【００１７】
【発明の効果】
この発明の枕は以上のようになるから、二つ折りして使用でき、その間に保冷材または吸湿材を収容して多機能に使用できるものである。また、その枕を展開したときには、厚みは薄く、大きくなるから、広い面積に日光を当てることができ、乾燥も容易に行うことができる。また、従来の枕はかたまりになっていたから、物干し竿には掛けて乾燥することができなかったが、この発明の枕では、左右に振り分けて物干し竿に掛けることができ、風の通りも良く、容易に乾燥させることができる。この乾燥時に内部の充填物を発泡合成樹脂材製のビーズを使用した時には、下方に移動し、内外のビーズが入れ代わるから、内部の湿気を出し易く、容易に乾燥するものである。
【００１８】
またその頭部が接面する凹陥部の高さや大きさおよび堅さを自由に調整することができ、安定感をもたらすものである。また、凹陥部の底面に対応して充填物が配備されていないから、底面部は空間に張設されたハンモックと同じ状態になり、全面で支持されて安定し、また、その支承面に通気性があり、冷却効果がある。
【００１９】
二つ折り部の連通孔に両縁よりに構成したものでは、その連通孔の付近に充填物を集め易く、その部分を高く、両肩の部分に回り込ませることができ、覆うことができ、首と対応する部分を低くすることができ、安定性と保温性を高めることができる。
【００２０】
四隅に隅切り縫着線に区画し、その部分に充填するビーズ等を節約することができる。
【００２１】
よって、この発明の枕は、二つ折り使用による、吸湿性もしくは冷却性の機能性が高く、日常の乾燥などのメンテナンスを簡易に行え、使用者の好みの支承面の形状と高さの調整が容易に行え、それに頭の安定性と両肩等の保温性にも画期的効果を奏するものである。
【図面の簡単な説明】
【図１】この発明の第１実施例の枕を構成する一方側用布と、他方側用布を示す展開平面斜視図である。
【図２】同じく、その第１実施例の枕を構成する一方側用布と他方側用布を重合し、その外縁を縫着した縫着部を示す平面図である。
【図３】この発明の枕の第１実施例を示す展開平面図である。
【図４】同じく、その図３のＢ−Ｂ線に沿う断面図である。
【図５】この発明の枕の第２実施例を示す展開平面図である。
【図６】同じく、その図５のＣ−Ｃ線に沿う断面図である。
【図７】この発明の枕の第３実施例を示す展開平面図である。
【図８】同じく、その図７のＤ−Ｄ線に沿う断面図である。
【符号の説明】
１５  第１実施例枕
１５ａ 縫着部
１５ｂ 袋体 
１６  一方側用布
１７  他方側用布
１８ａ  一方側縫着線
１８ｂ  他方側縫着線
１９ａ  一方面
１９ｂ  他方面
２０  大径囲ぎょう縫着線
２１  小径囲ぎょう縫着線
２２  充填物
２３  充填物
２４  大径凹陥部
２４ａ  内底面
２５  一方面枕本体
２６  小径凹陥部
２６ａ  内底面
２７  他方面枕本体
２８ａ  ベルベットファスナー
２８ｂ  ベルベットファスナー
３０  第２実施例枕
３１  一方側用布
３２  他方側用布
３３ａ  一方側中心部分断縫着線
３３ｂ  他方側中心部分断縫着線
３４ａ  一方通路縫着線
３４ｂ  他方通路縫着線
３５ａ  一方面
３５ｂ  他方面
３６  大径囲ぎょう縫着線
３７  小径囲ぎょう縫着線
３８  充填物
３９  大径凹陥部
３９ａ  内底面
４０  一方面枕本体
４１  小径凹陥部
４１ａ  内底面
４２  他方面枕本体
４３ａ  ベルベットファスナー
４３ｂ  ベルベットファスナー
４４  第３実施例枕
４５  一方側用布
４６  他方側用布
４７ａ  隅切り縫着線
４７ｂ  隅切り縫着線
４７ｃ  隅切り縫着線
４７ｄ  隅切り縫着線
４８ａ  一方側両側部分断縫着線
４８ｂ  他方側両側部分断縫着線
４９ａ  一側部内側通路縫着線
４９ｂ  一側部外側通路縫着線
５０ａ 他側部内側通路縫着線
５０ｂ 他側部外側通路縫着線
５１ａ 一方面
５１ｂ 他方面
５２  大径囲ぎょう縫着線
５３  小径囲ぎょう縫着線
５４  充填物
５５  大径凹陥部
５５ａ  内底面
５６  一方面枕本体
５７  小径凹陥部
５７ａ  内底面
５８  他方面枕本体
５９ａ  ベルベットファスナー
５９ｂ  ベルベットファスナー
【図１】
0003582057.tif 000002
【図２】
0003582057.tif 000003
【図３】
0003582057.tif 000004
【図４】
0003582057.tif 000005
【図５】
0003582057.tif 000006
【図６】
0003582057.tif 000007
【図７】
0003582057.tif 000008
【図８】
0003582057.tif 000009